(57)【要約】【課題】端子が並列して設けられる方向のサイズを可及的に小さくできるコネクタの嵌合構造を提供する。【解決手段】プラグコネクタ（１）の嵌合部（１１）に、端子（３１、３２）のコンタクト部（３１１、３２１）を支持している端子支持壁（２２）の側端面（２２３）と、プラグコネクタ（１）の嵌合部（１１）を形成し前記側端面（２２３）と対向している側壁（４１１）とで構成される嵌合ガイド部（１１１）が嵌合方向に設けられている。相手方のリセプタクルコネクタの嵌合部を形成している側壁が、嵌合ガイド部（１１１）に受け入れられるガイド壁とされ、両コネクタの嵌合の際に、他方のコネクタの突出部（６１２）が前記嵌合ガイド部（１１１）に進入し、さらに、前記ガイド壁が前記嵌合ガイド部（１１１）に、側端面（２２３）と側壁（４１１）でガイドされながら進入するようにした。【選択図】　図１９
2004134148.tif 000002
【特許請求の範囲】
【請求項１】
一方のコネクタ（１）の嵌合部（１１）と、他方のコネクタ（５）の嵌合部（５１）を互いに嵌合させて、各嵌合部（１１、５１）に並列して配置した端子（３１、３２、７１、７２）のコンタクト部（３１１、３２１、７１１、７２１）を互いに係合させるようにしたコネクタの嵌合構造において、一方のコネクタ（１）の嵌合部（１１）に、前記端子（３１、３２）のコンタクト部（３１１、３２１）を支持している端子支持壁（２２）の側端面（２２３）と、コネクタ（１）の嵌合部（１１）を形成し前記側端面（２２３）と対向している側壁（４１１）とで構成される嵌合ガイド部（１１１）が嵌合方向に設けられ、かつ、前記端子支持壁（２２）の先端面（２２４）が前記側壁（４１１）の開口端（４１１ａ）より内側に後退していると共に、
他方のコネクタ（５）の嵌合部（５１）を形成している側壁（６１１、８１１）が、前記嵌合ガイド部（１１１）に受け入れられるガイド壁（５１１）とされ、両コネクタ（１、５）の嵌合の際に、他方のコネクタ（５）の前記ガイド壁（５１１）より突出させて形成した突出部（６１２）が前記嵌合ガイド部（１１１）に進入し、さらに、前記ガイド壁（５１１）が前記嵌合ガイド部（１１１）に、側端面（２２３）と側壁（４１１）でガイドされながら進入するようにしたことを特徴とするコネクタの嵌合構造。
【請求項２】
前記一方のコネクタ（１）の嵌合部（１１）は、端子（３１、３２）が装着された絶縁ハウジング（２）の外側に設置したメタルシェル（４）で筒状に形成され、前記嵌合ガイド部（１１１）を構成した側壁がメタルシェル（４）の筒状部（４１）の側壁（４１１）である請求項１に記載のコネクタの嵌合構造。
【請求項３】
前記他方のコネクタ（５）の嵌合部（５１）は、端子（７１、７２）が装着された絶縁ハウジング（６）の筒状部（６１）と、絶縁ハウジング（６）の外側に設置され、絶縁ハウジング（６）の筒状部（６１）を覆っているメタルシェル（８）の筒状部（８１）とで構成され、前記ガイド壁（５１１）が、絶縁ハウジング（６）の筒状部（６１）の側壁（６１１）とメタルシェル（８）の筒状部（８１）の側壁（８１１）とで構成されている請求項１に記載のコネクタの嵌合構造。
【請求項４】
絶縁ハウジング（２）と、絶縁ハウジング（２）に並列して装着された複数の端子（３１、３２）と、絶縁ハウジング（２）の外側を覆うように設けられたメタルシェル（４）とで構成され、
絶縁ハウジング（２）に形成された端子支持壁（２２）に各端子（３１、３２）のコンタクト部（３１１、３２１）が支持されていると共に、
端子支持壁（２２）の外側をメタルシェル（４）の筒状部（４１）が囲んでリセプタクルコネクタ（５）との嵌合部（５１）を形成し、
互いに対向する端子支持壁（２２）の側端面（２２３）とメタルシェル（４）の筒状部（４１）の側壁（４１１）とで、リセプタクルコネクタ（５）の嵌合をガイドする嵌合ガイド部（１１１）を形成していると共に、前記端子支持壁（２２）の先端面（２２４）が前記側壁（４１１）の開口端（４１１ａ）より内側に後退させてあることを特徴とするプラグコネクタ。
【請求項５】
絶縁ハウジング（６）と、絶縁ハウジング（６）に並列して装着された複数の端子（７１、７２）と、絶縁ハウジング（６）の外側を覆うように設けられたメタルシェル（８）とで構成され、
絶縁ハウジング（６）に形成した筒状部（６１）の外側を覆うようにメタルシェル（８）の筒状部（８１）が重ねて設けられてプラグコネクタ（１）との嵌合部（５１）を形成し、
絶縁ハウジング（６）に形成した筒状部（６１）とメタルシェル（８）の筒状部（８１）とで、プラグコネクタ（１）の嵌合をガイドするガイド壁（５１１）を形成していると共に、絶縁ハウジング（６）の筒状部（６１）の側壁（６１１）に、メタルシェル（８）の筒状部（８１）の側壁（８１１）より突出する横断面山形の突出部（６１２）が設けられていることを特徴とするリセプタクルコネクタ。
【発明の詳細な説明】
【０００１】
【発明の属する技術分野】
この発明は、プラグコネクタのような一方のコネクタと、リセプタクルコネクタのような他方のコネクタの嵌合構造に関する。
【０００２】
【従来の技術】
従来、互いに嵌合するようにしたプラグコネクタとリセプタクルコネクタでは、各コネクタの嵌合部に臨んでいる端子のコンタクト部が互いに係合して電気的に導通する構造とされている。それぞれの端子は複数、所定のピッチで並列して設けられ、各コンタクト部が１対１で対応して係合するようにしている。このため、相互のコネクタの嵌合が端子の並列している方向で正しく行われるために、嵌合をガイドする手段が通常設けられている。
【０００３】
この嵌合をガイドする手段としては、一方のコネクタの嵌合部にガイドポストを設け、他方のコネクタの嵌合部には、このガイドポストを受け入れる嵌合ガイド部を設ける構造が一般に採用されている（例えば、特開平２−２５６１８３号公報の図１に示される、ポスト２３と凹所２６、実開平６−５０２６７号公報の図１に示される、極性ガイド部２５とガイド受け部１９ａ等参照）。このガイドポストとこれを受け入れる嵌合ガイド部でなるガイド手段は、各コネクタの嵌合部に並列配置された端子のコンタクト部の外側（並列方向）に独立して設けられているものであった。即ち、嵌合部の中央に端子のコンタクト部が並列して配置され、その並列方向両側に、一方のコネクタにはガイドポストを設け、他方のコネクタにはこのガイドポストを受け入れる凹入部でなる嵌合ガイド部を設けていた。さらに、ガイドポストの先端外側をテーパー状として、ガイド機能を持たせていた。
【０００４】
【発明が解決しようとする課題】
このように、従来のコネクタの嵌合構造では、嵌合を案内する手段が、並列して配置した端子のコンタクト部と独立して外側に設けられ、しかも、ガイドポストの先端外側をテーパー状として、ガイド機能を持たせていたので、コネクタの幅方向（端子の並列方向）のサイズを小さくすることを困難にしていた。
【０００５】
この発明は、このような問題点に鑑みてなされたもので、端子が並列して設けられる方向のサイズを可及的に小さくできるコネクタの嵌合構造を提供することを目的としている。
【０００６】
【課題を解決するための手段】
上記の目的を達成するこの発明は、一方のコネクタの嵌合部と、他方のコネクタの嵌合部を互いに嵌合させて、各嵌合部に並列して配置した端子のコンタクト部を互いに係合させるようにしたコネクタの嵌合構造において、
一方のコネクタの嵌合部に、前記端子のコンタクト部を支持している端子支持壁の側端面と、コネクタの嵌合部を形成し前記側端面と対向している側壁とで構成される嵌合ガイド部が嵌合方向に設けられ、かつ、前記端子支持壁の先端面が前記側壁の開口端より内側に後退していると共に、
他方のコネクタの嵌合部を形成している側壁が、前記嵌合ガイド部に受け入れられるガイド壁とされ、
両コネクタの嵌合の際に、他方のコネクタの前記ガイド壁より突出させて形成した突出部が前記嵌合ガイド部に進入し、さらに、前記ガイド壁が前記嵌合ガイド部に、側端面と側壁でガイドされながら進入するようにしたことを特徴とするコネクタの嵌合構造である。
【０００７】
【作用】
このように構成されるこの発明のコネクタの嵌合構造では、一方のコネクタの端子支持壁の側端面と、嵌合部の側壁で嵌合ガイド部を形成し、他方のコネクタの嵌合部の側壁で嵌合ガイド部に受け入れられるガイド壁を形成し、これら嵌合ガイド部とガイド壁でガイド手段が構成されるので、並列している端子のコンタクト部の外側に嵌合をガイドするための独立した部材を無くし、従来のガイドポストとこれを受け入れる嵌合ガイド部でなるガイド手段に比べて、端子の並列方向のサイズの拡大を少なくすることができ、さらに、端子支持壁はその先端面を内部に後退させたので、嵌合時の端子支持壁の破損を防ぐことができる。
【０００８】
【発明の実施の形態】
以下、この発明の実施の形態を添付の図面を参照して詳細に説明する。
【０００９】
図１−図６と図１７に示したプラグコネクタ１を一方のコネクタとし、図１１−図１６と図１８に示したリセプタクルコネクタ５を他方のコネクタとして、互いに嵌合するようにされている。プラグコネクタ１の一端（図１の左端）に角筒状の嵌合部１１が形成されている一方、リセプタクルコネクタ５の一端（図１１の右端）に角筒状の嵌合部５１が形成されて、リセプタクルコネクタ５の嵌合部５１がプラグコネクタ１の嵌合部１１の内側に嵌まるようにしてある。
【００１０】
プラグコネクタ１は、図３に表れているように、絶縁ハウジング２と、この絶縁ハウジング２に、それぞれ並列して装着された２種類の端子３１、３２と、絶縁ハウジング２の外側を覆うように設けられたメタルシェル４とで構成されている。絶縁ハウジング２は、絶縁性のプラスチックを成形したものであり、端子３１、３２及びメタルシェル４は、金属板を打ち抜いて成形したものである。前記嵌合部１１がメタルシェル４の一端に設けた角筒状部４１で構成されている。絶縁ハウジング２は、端子３１、３２が装着されるブロック状の本体部２１と、この本体部２１からメタルシェル４の角筒状部４１の中央に臨むプレート状の端子支持壁２２を一体として備えている。メタルシェル４の他端側（図１中、右側）は、絶縁ハウジング２の本体部２１の上面及び両側面に接するように逆Ｕ字状に形成され、前記角筒状部４１に連続する本体部４２を形成しており、この本体部４２の各側壁４２１の下端から取付脚４２２が延びている。尚、端子支持壁２２は、先端面２２４が側壁４１１の一端、即ち嵌合部１１側（図１中、左側）の開口端４１１ａより若干他端側の内側に後退させて設けられている。若干とは、リセプタクルコネクタ５と嵌合したとき、端子支持壁２２がリセプタクルコネクタ５に形成される突出部６１２と強く衝突して破損しない位置関係にあることである。
【００１１】
端子３１、３２は、前記絶縁ハウジング２の端子支持壁２２の上面にコンタクト部３１１が支持される端子３１と、端子支持壁２２の下面にコンタクト部３２１が支持される端子３２としたもので、絶縁ハウジング２の本体部２１から外側（後方）に延びる半田テール３１２、３２２の部分の形状を変化させてある。図７及び図８に端子３１が、図９及び図１０に端子３２が、それぞれ、キャリア３１３、３２３に並列して打ち抜き成形された状態で示してある。
【００１２】
各端子３１、３２共に、絶縁ハウジング２の本体部２１に形成された端子挿通孔２１１に挿通して係止する装着部３１４、３２４から前記コンタクト部３１１、３２１が延びている。端子３１のコンタクト部３１１は先端に向かって下方に変位させて成形されて、端子支持壁２２の上面の収容溝２２１に確実に収容されるようにしている。これとは反対に、端子３２のコンタクト部３２１は先端に向かって上方に変位させて成形されて、端子支持壁２２の下面の収容溝２２２に確実に収容されるようにしている。
【００１３】
各端子３１、３２の装着部３１４、３２４から、前記コンタクト部３１１、３２１と反対側に半田テール３１２、３２２がＬ字状に延びている。端子３１の半田テール３１２は水平延長部３１５を介して延びており、図３のように、端子３２の半田テール３２２と交差しないようにされている。端子３２の半田テール３２２は、装着部３２４から直接延びており、絶縁ハウジング２にこの端子３２を装着すると、半田テール３２２は本体部２１の後面に沿って垂下して、後面に形成したテールガイド溝２１２に収容されるようにしてある（図６参照）。
【００１４】
図７及び図９に表れているように、端子３１、３２のコンタクト部３１１、３２１の幅に比べて、半田テール３１２、３２２の幅は半分とされている。また、端子３１の半田テール３１２が、コンタクト部３１１を前方に見て右側に偏倚して設けられているのに対して、端子３２の半田テール３２２は左側に偏倚して設けられている。この結果、コンタクト部３１１、３２１が端子支持壁２２で並列するピッチに対して、半田テール３１２、３２２はその半分のピッチで並列できるようにされている。もっとも、端子３１の半田テール３１２は水平延長部３１５を介して設けられているこの実施形態では、両半田テール３１２、３２２は、千鳥状に並ぶようになっている。
【００１５】
以上のようなプラグコネクタ１と嵌合するリセプタクルコネクタ５は、図１３に表れているように、絶縁ハウジング６と、この絶縁ハウジング６に、それぞれ並列して装着された２種類の端子７１、７２と、絶縁ハウジング６の外側を覆うように設けられたメタルシェル８とで構成されている。プラグコネクタ１の場合と同様に、絶縁ハウジング６は絶縁性のプラスチックを成形したものであり、端子７１、７２及びメタルシェル８は金属板を打ち抜いて成形したものである。
【００１６】
このリセプタクルコネクタ５の嵌合部５１は、絶縁ハウジング６の一端に設けた角筒状部６１と、この角筒状部６１の外側に重なるように形成したメタルシェル８の角筒状部８１が協働して構成している。絶縁ハウジング６の角筒状部６１によって、嵌合部５１にはリセプタクル空洞５２が形成されて、このリセプタクル空洞５２の上側に端子７１のコンタクト部７１１が片持ち状となって並列し、下側にはもう一方の端子７２のコンタクト部７２１が片持ち状となって並列している。
【００１７】
絶縁ハウジング６は、角筒状部６１に連続するブロック状の本体部６２を一体に備えている。また、メタルシェル８は、角筒状部８１に連続して、絶縁ハウジング６の本体部６２の上面及び側面を覆うようにした逆Ｕ字状の本体部８２を一体に備えている。この本体部８２の側壁８２１には取付脚８２２が設けられている。
【００１８】
絶縁ハウジング６の本体部６２には、上下に複数の端子挿通孔６２１が並列して設けられ、上側の端子挿通孔６２１に一方の端子７１が挿通、係止され、下側の端子挿通孔６２１に他方の端子７２が挿通、係止されている。
【００１９】
端子７１、７２は、それぞれ、端子挿通孔６２１に挿通、係止する装着部７１２、７２２から前記コンタクト部７１１、７２１が延び、コンタクト部７１１、７２１と反対の方向にはＬ字状の半田テール７１３、７２３が延びている。端子７１の半田テール７１３が水平延長部７１４を介して延びている点、コンタクト部７１１、７２１の幅に対して、半田テール７１３、７２３の幅が半分とされて、互いに反対方向に偏倚している点は、プラグコネクタ１の端子３１、３２の場合と同様である。また、端子７２の半田テール７２３が絶縁ハウジング６の本体部６２に形成したテールガイド溝６２２（図１６）に収容される点も同様である。
【００２０】
図４と図１５に表れ、また、図１７、１８に表れているように、プラグコネクタ１の嵌合部１１とリセプタクルコネクタ５の嵌合部５１は相似形をしており、リセプタクルコネクタ５の嵌合部５１がプラグコネクタ１の嵌合部１１の内側に隙間なく嵌まるようになっている。即ち、プラグコネクタ１の嵌合部１１を形成しているメタルシェル４の角筒状部４１の内側に、リセプタクルコネクタ５の嵌合部５１を形成しているメタルシェル８の角筒状部８１が隙間なく嵌まって、二つのメタルシェル４、８相互が角筒状部４１、８１において互いに接するようになっている。また、プラグコネクタ１側の角筒状部４１の側壁４１１から内側にばね片４１２が切り起こされて、リセプタクルコネクタ５の角筒状部８１の側壁８１１に弾接するようになっている。
【００２１】
プラグコネクタ１の嵌合部１１に臨ませた端子支持壁２２の側端面２２３と、この側端面２２３と対向しているメタルシェル４の角筒状部４１の側壁４１１によって嵌合ガイド部１１１が、端子支持壁２２の両側で嵌合方向に形成されている。このプラグコネクタ１の嵌合ガイド部１１１に対して、リセプタクルコネクタ５は、嵌合部５１を形成している絶縁ハウジング６の角筒状部６１の側壁６１１と、メタルシェル８の角筒状部８１の側壁８１１が協働してガイド壁５１１を形成している。嵌合ガイド部１１１の幅Ｗ１（図４）と、ガイド壁５１１の幅Ｗ２（図１５）は略等しくされている。そして、ガイド壁５１１を形成した絶縁ハウジング６の両側壁６１１の先端には横断面山形の突出部６１２がメタルシェル８の側壁８１１の前方（図１６中、右方向）より突出するように設けられて、ガイド壁５１１が嵌合ガイド部１１１に進入するのを容易にしている。さらに、この突出部６１２は、内外にテーパー部６１２ａ、６１２ｂを有する（図１６参照）。
【００２２】
以下、このように構成されたプラグコネクタ１とリセプタクルコネクタ５の嵌合時の様子について説明する。
【００２３】
プラグコネクタ１とリセプタクルコネクタ５が正対してまっすぐに嵌合された場合、問題なく嵌合されることは、言うまでもない。
【００２４】
次に、プラグコネクタ１とリセプタクルコネクタ５が、互いに斜めに嵌合される場合について説明する。ただし、斜めの傾きの程度が比較的小さい場合である。まず、リセプタクルコネクタ５の突出部６１２がプラグコネクタ１の嵌合ガイド部１１１に進入する。このとき、プラグコネクタ１の側壁４１１の内側とリセプタクルコネクタ５の側壁８１１に接触し、端子支持壁２２が突出部６１２のテーパー部６１２ｂと接触しない位置関係にある（図１９参照）。端子支持壁２２の先端面２２４を嵌合部１１で後退した位置としてあるためである。
【００２５】
さらに嵌合を進めると、互いに斜めの状態が矯正されてよりまっすぐな状態に近づく（図２０参照）。
【００２６】
最終的には、プラグコネクタ１とリセプタクルコネクタ５が互いにまっすぐな状態で嵌合され、端子支持壁２２が破損することはない（図２１参照）。
【００２７】
また、図２２のように、図１９とは異なる比較的大きな角度で斜めに嵌合された時には、端子支持壁２２と一方の突出部６１２が接触することもある。しかし、突出部６１２の内側にはテーパー部６１２ｂが形成されているので、端子支持壁２２と突出部６１２が接触する前に、他方の側壁４１１の内側が側壁８１１に接触する様になっており、端子支持壁２２と突出部６２が接触する際の力を緩和している。よって、端子支持壁２２の破損を防いでいる。
【００２８】
なお、外側のテーパー部６１２ａは、プラグコネクタ１とリセプタクルコネクタ５が嵌合する際、側壁４１１の開口端４１１ａが当たることのないようにするためのものである。当たったとしても、テーパー状となっているので、突起部６１２が削れることは少なく、結果として、突起部６１２のガイド機能が損なわれることがない。
【００２９】
【発明の効果】
以上に説明したように、この発明のコネクタの嵌合構造によれば、コネクタの嵌合部を形成している端子支持壁や筒状部の側壁で嵌合ガイド部やガイド壁を形成して、嵌合をガイドするための独立した別個の部材を設けない構成としたので、コネクタの幅を可及的に小さくできると共に、嵌合時に端子支持壁を破損から防ぐという効果がある。
【図面の簡単な説明】
【図１】この発明の実施形態のプラグコネクタの一部を破切して示した平面図である。
【図２】同じくプラグコネクタの正面図である。
【図３】図１のＡ−Ａ線に沿って示した断面図である。
【図４】実施形態のプラグコネクタの左側面図である。
【図５】同じくプラグコネクタの右側面図である。
【図６】同じくプラグコネクタの底面図である。
【図７】プラグコネクタを構成した端子の平面図である。
【図８】同じく端子の正面図である。
【図９】プラグコネクタを構成したもう一つの端子の平面図である。
【図１０】同じくもう一つの端子の正面図である。
【図１１】この発明の実施形態のリセプタクルコネクタの一部を破切して示した平面図である。
【図１２】同じくリセプタクルコネクタの正面図である。
【図１３】図１１のＢ−Ｂ線に沿って示した断面図である。
【図１４】実施形態のリセプタクルコネクタの左側面図である。
【図１５】同じくリセプタクルコネクタの右側面図である。
【図１６】同じくリセプタクルコネクタの底面図である。
【図１７】実施形態のプラグコネクタの斜視図である。
【図１８】実施形態のリセプタクルコネクタの斜視図である。
【図１９】プラグコネクタとリセプタクルコネクタが嵌合した状態の一部を破切して示した平面図である。
【図２０】同じく嵌合した状態の一部を破切して示した平面図である。
【図２１】同じく嵌合した状態の一部を破切して示した平面図である。
【図２２】同じく嵌合した状態の一部を破切して示した平面図である。
【符号の説明】
１　　　　　プラグコネクタ
１１　　　　嵌合部
１１１　　　嵌合ガイド部
２　　　　　絶縁ハウジング
２１　　　　本体部
２１１　　　端子挿通孔
２１２　　　テールガイド溝
２２　　　　端子支持壁
２２１　　　収容溝
２２２　　　収容溝
２２３　　　側端面
２２４　　　先端面
３１　　　　端子
３１１　　　コンタクト部
３１２　　　半田テール
３１３　　　キャリア
３１４　　　装着部
３１５　　　水平延長部
３２　　　　端子
３２１　　　コンタクト部
３２２　　　半田テール
３２３　　　キャリア
３２４　　　装着部
４　　　　　メタルシェル
４１　　　　角筒状部
４１１　　　側壁
４１１ａ　　開口端
４１２　　　ばね片
４２　　　　本体部
４２１　　　側壁
４２２　　　取付脚
５　　　　　リセプタクルコネクタ
５１　　　　嵌合部
５１１　　　ガイド壁
５２　　　　リセプタクル空洞
６　　　　　絶縁ハウジング
６１　　　　角筒状部
６１１　　　側壁
６１２　　　突出部
６２　　　　本体部
６２１　　　端子挿通孔
６２２　　　テールガイド溝
７１　　　　端子
７１１　　　コンタクト部
７１２　　　装着部
７１３　　　半田テール
７１４　　　水平延長部
７２　　　　端子
７２１　　　コンタクト部
７２２　　　装着部
７２３　　　半田テール
８　　　　　メタルシェル
８１　　　　角筒状部
８１１　　　側壁
８２　　　　本体部
８２１　　　側壁
８２２　　　取付脚
【図１】
2004134148.tif 000003
【図２】
2004134148.tif 000004
【図３】
2004134148.tif 000005
【図４】
2004134148.tif 000006
【図５】
2004134148.tif 000007
【図６】
2004134148.tif 000008
【図７】
2004134148.tif 000009
【図８】
2004134148.tif 000010
【図９】
2004134148.tif 000011
【図１０】
2004134148.tif 000012
【図１１】
2004134148.tif 000013
【図１２】
2004134148.tif 000014
【図１３】
2004134148.tif 000015
【図１４】
2004134148.tif 000016
【図１５】
2004134148.tif 000017
【図１６】
2004134148.tif 000018
【図１７】
2004134148.tif 000019
【図１８】
2004134148.tif 000020
【図１９】
2004134148.tif 000021
【図２０】
2004134148.tif 000022
【図２１】
2004134148.tif 000023
【図２２】
2004134148.tif 000024